(57)【特許請求の範囲】
【請求項１】
一方の側縁に沿ってサイズの異なった大小２個のコマ位置決め用のパーフォレーションが撮影領域のみに２種類の間隔で交互に配列して形成され、間隔の長いパーフォレーション間の中心を露光開口のフイルム給送方向の中心に合わせた状態で露光される写真フイルムを用いるとともに、シャッタレリーズ後に行われる巻き上げノブの巻き上げ操作により露光済みの写真フイルムをパトローネの内部に収納してゆくとともに写真フイルムの給送に伴って所定の部材が前記大パーフォレーション又は小パーフォレーションに係合して従動することによりユニット本体に組み込まれたシャッタ機構をチャージ状態にするようにしたレンズ付きフイルムユニットの製造方法において、
前記ユニット本体に組み込まれたシャッタ機構の作動テストを行う第１工程と、
この第１工程後に、前記ユニット本体に写真フイルムを装填する第２工程と、
この第２工程後に、前記巻き上げノブの巻き上げ操作を行って写真フイルムの給送テストを行うとともに、前記巻き上げ操作は、前記所定の部材が大パーフォレーション又は小パーフォレーションに係合する前に中止される第３工程と
からなることを特徴とするレンズ付きフイルムユニットの製造方法。
【請求項２】
前記所定の部材は、前記大小パーフォレーションにそれぞれ噛合する大小の歯が突設されたスプロケットであり、前記大歯が大パーフォレーションから外れて次の大パーフォレーションに噛合する迄の間でスプロケットが従動方向に回転するように付勢する付勢手段を設け、フイルム移送に伴って大歯が大パーフォレーションから外れた後には前記付勢手段の付勢によって次の大パーフォレーションに噛合する直前の待機位置にスプロケットが付勢回転されることを特徴とする請求項１記載のレンズ付きフイルムユニットの製造方法。
【発明の詳細な説明】
【０００１】
【産業上の利用分野】
本発明は、写真フイルムを予め装填したレンズ付きフイルムユニットの製造方法に関し、更に詳しくはユニット本体に組み込まれたシャッタ機構の作動テストを写真フイルムの無駄なく行うようにしたレンズ付きフイルムユニットの製造方法に関するものである。
【０００２】
【従来の技術】
従来、国際標準規格（ＩＳＯ：１００７−１９７９年版）で規定された１３５タイプのパトローネ付き写真フイルムを簡単な撮影機構を内蔵したユニット本体に予め装填したレンズ付きフイルムユニットが市販されている。このレンズ付きフイルムユニットを製造するには、ユニット本体の本体基部にシャッタユニットやストロボユニットを装着してから、これに前カバーを取り付け、暗室内でユニット本体のパトローネ収納室，フイルムロール室に、パトローネ本体，ロール状にした未露光の写真フイルムをそれぞれ装填した後、本体基部の背面側とパトローネ収納室，フイルムロール室の各底部とをそれぞれ光密に閉じるように後カバーを装着する。そして、このユニット本体の巻き上げノブや撮影レンズ等に該当する箇所に開口を設けた紙箱等の外ケースをユニット本体に被せることにより、レンズ付きフイルムユニットが完成される。
【０００３】
このようなレンズ付きフイルムユニットは、予め内蔵した写真フイルムによるトラブルを防ぐため、写真フイルムの内蔵に伴う検査を行わなければならない。この検査としては、シャッタ機構等の作動確認、写真フイルムを内蔵した状態で写真フイルムを巻き上げる巻き上げノブの作動確認、及び巻き上げに要する巻き上げノブの回転トルクの測定等であり、シャッタ機構をチャージ前状態にした本体基部にパトローネ付き写真フイルムを装填した後、シャッタ機構をチャージ状態にする巻き上げノブの巻き上げ操作を行って巻き上げノブの回転トルクを測定するフイルム給送テスト工程と、シャッタ機構をチャージ状態にした後に、シャッタレリーズを行ってシャッタ機構の動作確認を行うシャッタ作動テスト工程とから構成されている。
【０００４】
一方、写真フイルムをロール状にスプールに巻きつけてフイルム先端までパトローネ本体内に収納しておき、スプールを回転させてフイルム先端をフイルム引出口から送り出すようにした写真フイルムパトローネが知られている（例えば米国特許４８８７７７６号）。更に、このような写真フイルムパトローネを改良したものが特開平６−１７５２７２公報で知られている。この改良型の写真フイルムには、一方の側縁に沿って１コマあたり２個のコマ位置決め用のパーフォレーションが２種類の間隔で交互に配列されており、間隔の長いパーフォレーション間の中心を露光開口のフイルム給送方向の中心に合わせた状態で露光を行うようになっている。そして、これらのコマ位置決め用のパーフォレーションは撮影領域のみに形成されている。
【０００５】
【発明が解決しようとする課題】
ところで、前記１３５タイプの写真フイルムの両縁には、１コマあたり８個のパーフォレーションが長手方向の全長にわたってライン状に形成されているから、上記レンズ付きフイルムユニットでは、例えばパーフォレーション２個分のフイルム給送でシャッタ機構がチャージされるように予めフイルム装填を行うことにより、シャッタ機構の作動テストを行うために使用する写真フイルムの領域を極力少なくすることができ、これによって規定のコマ数を撮影するために必要な撮影領域を充分に確保できる。しかしながら、上記のような撮影領域のみにコマ位置決め用のパーフォレーションを設けた改良型の写真フイルムをレンズ付きフイルムユニットに使用した場合には、写真フイルムの撮影領域以外ではシャッタチャージが行えないため、撮影領域の１コマ目が露光開口にセットされる状態までフイルム給送を行う必要があり、少なくとも撮影領域の１コマ分をシャッタ機構の作動テストのために無駄にしなければならないという問題があった。
【０００６】
本発明は、コマ位置決め用のパーフォレーションが撮影領域のみに設けられた写真フイルムを装填するレンズ付きフイルムユニットで写真フイルムの撮影領域を無駄にすることなくシャッタ装置の作動テストを行えるようにしたレンズ付きフイルムユニットの製造方法を提供することを目的とする。
【０００７】
【課題を解決するための手段】
上記目的を達成するために、本発明のレンズ付きフイルムユニットの製造方法は、一方の側縁に沿ってサイズの異なった大小２個のコマ位置決め用のパーフォレーションが撮影領域のみに２種類の間隔で交互に配列して形成され、間隔の長いパーフォレーション間の中心を露光開口のフイルム給送方向の中心に合わせた状態で露光される写真フイルムを用いるとともに、シャッタレリーズ後に行われる巻き上げノブの巻き上げ操作により露光済みの写真フイルムをパトローネの内部に収納してゆくとともに写真フイルムの給送に伴って所定の部材が前記大パーフォレーション又は小パーフォレーションに係合して従動することによりユニット本体に組み込まれたシャッタ機構をチャージ状態にするようにしたレンズ付きフイルムユニットの製造方法において、前記ユニット本体に組み込まれたシャッタ機構の作動テストを行う第１工程と、この第１工程後に、前記ユニット本体に写真フイルムを装填する第２工程と、この第２工程後に、前記巻き上げノブの巻き上げ操作を行って写真フイルムの給送テストを行うとともに、前記巻き上げ操作は、前記所定の部材が大パーフォレーション又は小パーフォレーションに係合する前に中止される第３工程とからなることを特徴とする。また、前記所定の部材は、前記大小パーフォレーションにそれぞれ噛合する大小の歯が突設されたスプロケットであり、前記大歯が大パーフォレーションから外れて次の大パーフォレーションに噛合する迄の間でスプロケットが従動方向に回転するように付勢する付勢手段を設け、フイルム移送に伴って大歯が大パーフォレーションから外れた後には前記付勢手段の付勢によって次の大パーフォレーションに噛合する直前の待機位置にスプロケットが付勢回転されるようにしたものである。
【０００８】
【作用】
写真フイルムの装填はシャッタ機構の作動テストが完了した後に行われるから、シャッタ機構の作動テストのためにフイルム給送を行う必要がなく、写真フイルムの撮影領域が無駄になることがない。そして、この写真フイルムの装填が行われた後、巻き上げノブが操作され、写真フイルムの給送テストが行われる。また、この給送テストは、写真フイルムの給送に伴って従動しシャッタ機構をチャージ状態にする所定の部材が大パーフォレーション又は小パーフォレーションに係合する前に中止されることにより、不用意にシャッタレリーズが行われて１コマ分の写真フイルムが無駄になることが防止される。
【０００９】
【実施例】
本発明の製造方法を適用したレンズ付きフイルムユニット（以下「フイルムユニット」と称す。）１０は、図２に示すように、外ケース１１とユニット本体１２とから構成されており、外ケース１１には、撮影レンズ１３，シャッタボタン１４，巻き上げノブ１５，及びファインダー窓１６，及び撮影枚数表示窓１７等を外部に露呈させる開口が形成されている。
【００１０】
ユニット本体１２は、図３に示すように、本体基部１８，後カバー１９，露光ユニット２０，及び前カバー２１とから構成されている。
【００１１】
本体基部１８の前面には、前記撮影レンズ１３が前部に取り付けられた露光ユニット２０が着脱自在に取り付けられる。この露光ユニット２０には、写真フイルムに露光を付与するシャッタ機構の他に、フイルム巻き上げ機構等が組み込まれており、これらはユニット化されている。後カバー１９は、本体基部１８の背後に着脱自在に取り付けられ、本体基部１８との間でパトローネ付き写真フイルム２２を光密に収納する。
【００１２】
前カバー２１は、露光ユニット２０を挟むように本体基部１８の前面に着脱自在に取り付けられる。この前カバー２１の上面には、一部を切り欠いて弾性自在に形成したシャッタボタン１４が設けられている。このシャッタボタン１４の下部には、押圧ロッド２３が設けられており、詳しくは後述する係止レバー４４を押圧してシャッタ機構を作動させる。
【００１３】
本体基部１８には、パトローネ２４を収納するためのパトローネ収納室２５と、パトローネ２４から全部引き出した未露光の写真フイルム２６をフイルムロール２６ａの形態で収納するためのフイルムロール室２７とが一体成形されている。本実施例では、フイルムロール２６ａを巻芯２８に巻き付けて形成している。この巻芯２８は、後カバー１９に設けた一対のフォーク２９，３０によって上下端がフイルムロール２６ａの内部で回動自在に支持される。なお、巻芯２８を省略し、フイルムロール２６ａだけをフイルムロール室２７に収納するようにしてもよい。この場合には、フォーク２９を省略することができる。フォーク３０は、治具からフイルムロール２６ａを引き抜く際に使用する。
【００１４】
パトローネ収納室２５とフイルムロール室２７との底は開口となっており、パトローネ付き写真フイルム２２を装填した後に、後カバー１９に設けたプルトップ式の底蓋３１，３２によってそれぞれ塞がれる。
【００１５】
パトローネ収納室２５とフイルムロール室２７との間には、暗箱３３が設けられている。暗箱３３の背面側には露光開口が形成されている。この露光開口は、ここを通るフイルム面とともに撮影レンズ１３を中心として湾曲した形状となっている。また後カバー１９には、フイルム面に対峙する部分にフイルム支持面３４が形成されている。このフイルム支持面３４もフイルム面と同じに湾曲している。なお、暗箱３３を露光ユニット２０に設けてもよい。また、暗箱３３を分割して一部を露光ユニット２０に、他部を本体基部１８にそれぞれ設けて、露光ユニット２０を本体基部１８に取り付けることで暗箱３３が形成されるようにしてもよい。
【００１６】
暗箱３３の前面側には、撮影レンズ１３を透過した被写体光を露光開口に導くための開口３４が形成されている。また、暗箱３３の上方には、詳しくは後述する検知爪４６ｇを写真フイルム２６に向けて露呈させるための開口３３ａが形成されている。この開口３３ａは、撮影レンズ１３側から見た露光開口に対して上方左側に形成されている。
【００１７】
巻き上げノブ１５は、パトローネ収納室２５の上面に回動自在に配置され、パトローネ収納室２５に装填されたパトローネ２４のスプール３５に係合している。この巻き上げノブ１５は、一部が後カバー１９の開口３６から露呈しており、露呈した一部をフイルム巻き上げ方向（同図に示す反時計方向）に回転させることにより、スプール３５がフイルム巻き取り方向に回転して撮影済みの写真フイルム２６をパトローネ２４の内部に収納する。
【００１８】
巻き上げノブ１５の外周には歯列１５ａが形成されている。この歯列１５ａには、本体基部１８に設けた逆止爪３７が係合している。逆止爪３７は、巻き上げノブ１５がフイルム巻き上げ方向とは逆の方向（同図に示す時計方向）に回転操作されることを禁止している。
【００１９】
写真フイルム２６は、この後端がスプール３５に係止されており、図４に示すように、撮影領域として撮影に利用されるフイルム露光部２６ｃと撮影に利用できないフイルム先端部２６ｂ及びフイルム後端部２６ｄとから構成されている。フイルム露光部２６ｃには、一方の側縁に沿ってサイズの異なった大小２個のパーフォレーション３９，４０が２種類の間隔で交互に配列されており、間隔の長いパーフォレーション３９，４０の間の中心を前記露光開口のフイルム給送方向（長手方向）の中心に合わせた状態で露光を行い、例えば４０個のコマ３８が形成される。このような写真フイルム２６は、一般のカメラでコマ位置決め用に用いられるパーフォレーションを１コマあたり２個ずつ形成した市販形態の写真フイルムを、フイルムユニット１０の専用に加工したものである。加工は、コマに対してフイルムユニット１０でのフイルム巻き上げ方向側のパーフォレーションのサイズを大きくする。
【００２０】
この加工時には、フイルム先端部２６ｂ側のコマ３８ａ（フイルムユニット１０では最終コマ）とフイルム後端部２６ｄ側のコマ３８ｂ（フイルムユニット１０では最初のコマ）の隣にそれぞれ大小のパーフォレーション３９ａ，４０ａが１個ずつ形成され、短い間隔で並んだ大小のパーフォレーション３９，４０が必ず対となるようにされる。フイルム先端部２６ｂの大パーフォレーション３９ａは、市販形態の写真フイルムに予め形成されたパーフォレーションを大きく加工したものであり、また、フイルム後端部２６ｄの小パーフォレーション４０ａは市販形態の写真フイルムには形成されておらず、新たに形成したものである。なお、フイルム後端部２６ｄは、本体基部１８に写真フイルム２６を装填した後、フイルム給送テストを行うため、１コマよりやや短い長さにされている。
【００２１】
これによりフイルムユニット１０に専用で用いられる写真フイルム２６には、図５に示すように、大パーフォレーション３９が乳剤面側から見てコマ３８の左上、すなわちコマ３８に対してフイルム巻き上げ方向側に配置される。この大パーフォレーション３９は、小パーフォレーション４０よりもフイルム給送方向に沿った長さが長くされている。他方の小パーフォレーション４０はコマ３８の右上、すなわち、コマ３８に対してフイルム巻き上げ方向とは逆側に配置されており、当然大パーフォレーション３９よりもフイルム給送方向に沿った長さが短くなっている。そして、どちらのパーフォレーション３９，４０もフイルム幅方向の長さは同じとされている。
【００２２】
露光ユニット２０には、シャッタ機構，フイルム巻き上げ機構の他に、フイルムカウンタ機構が設けられている。これらの機構は、図６及び図７に示すように、巻き上げノブ１５，連動ギヤ４１，歯欠けギヤ４２，一歯ギヤ４３，カム部材４４，シャッタ駆動レバー４５，係止レバー４６，捩じりバネ４７，レリーズ規制部材４８，シャッタ羽根４９，及び枚数表示板５０等とで構成されている。連動ギヤ４１は、巻き上げノブ１５の下方にこれと同軸に一体に形成されており、巻き上げノブ１５の回転に同期に回転する。
【００２３】
歯欠けギヤ４２は、外周に設けたギヤ部４２ａのうち一部に歯欠け部４２ｂが設けられており、フイルム巻き上げによって１コマ分以下の長さだけ写真フイルム２６が移送される間で、ギヤ部４２ａが連動ギヤ４１に噛合する噛合位置から歯欠け部４２ｂが対峙して連動ギヤ４１との噛合が断たれる噛合解除位置に向けて回転される。この回転は、暗箱３３の一部であるベース板５１の上面に設けた軸５２を中心として時計方向である。
【００２４】
シャッタ駆動レバー４５には、被係止部４５ａ，蹴飛ばし片４５ｂ，押圧部４５ｃ，及び規制片４５ｄが一体に形成され、ベース板５１の上面に設けた軸５３を中心として反時計方向であるチャージ位置と時計方向であるレリーズ完了位置との間で回動自在に設けられており、捩じりバネ４７によりレリーズ完了位置に向けて付勢されている。そして、シャッタボタン１７の押下操作が行われることにより、チャージ位置からレリーズ完了位置に向けて瞬時に回転する途中でシャッタ羽根４９を蹴飛ばす。
【００２５】
被係止部４５ａは、シャッタ駆動レバー４５がレリーズ完了位置に向けて回転する際に、後述する係止レバー４６の係止部４６ａの回動軌跡内に入り込んで係止レバー４６を巻き止め解除位置に保持する。規制片４５ｄは、シャッタ駆動レバー４５がチャージ位置の際に歯欠けギヤ４２に設けた突起４２ｃに係合して歯欠けギヤ４２が噛合解除位置から噛合位置に向けて回転することを阻止するとともに、シャッタ駆動レバー４５がレリーズ完了位置に回転した際には、突起４２ｃから退避して歯欠けギヤ４２の噛合位置への回転阻止を解除する。なお、規制片４５ｄと突起４２ｃとは、歯欠けギヤ４２のギヤ部４２ａの下面で係合するようにそれぞれ形成されている。
【００２６】
カム部材４４は、歯欠けギヤ４２の下部に一体に形成されており、チャージ用カム面４４ａと歯欠けギヤ原点戻し用カム面４４ｂとから構成されている。チャージ用カム面４４ａは、歯欠けギヤ４２が噛合解除位置に回転する迄の間で押圧部４５ｃに当接し、シャッタ駆動レバー４５をレリーズ完了位置からチャージ位置に回転させる。また、歯欠けギヤ原点戻し用カム面４４ｂは、これにシャッタレリーズ後にチャージ位置からレリーズ完了位置に瞬時に回転するシャッタ駆動レバー４５の押圧部４５ｃが当接し、このときのシャッタ駆動レバー４５の回転力を利用して歯欠けギヤ４２を噛合解除位置から噛合位置に回転させる。
【００２７】
係止レバー４６には、係止部４６ａの他に、巻き止め爪４６ｂ，レリーズ連動片４６ｃ，立ち上がり突起４６ｄ，及び巻き止め規制カム４６ｅとを一体に形成した腕板の回転軸４６ｆの下方に検知爪４６ｇを一体に形成した形状とされている。検知爪４６ｇは、回転軸４６ｆからフイルム給送方向に沿ってＬ字形状に突出した形状とされており、小パーフォレーション４０には係合せずに大パーフォレーション３９にだけ係合するように、フイルム給送方向の幅が大パーフォレーション３９よりも僅かに短く、小パーフォレーション４０よりも長いサイズで形成されている。
【００２８】
係止レバー４６は、開口３３ａを通して検知爪４６ｇが大パーフォレーション３９に係合する巻き止め位置と検知爪４６ｇが大パーフォレーション３９から引き抜かれた巻き止め解除位置との間で回動自在に支持されている。この支持は、回転軸４６ｆの上下端に係合するベース板５１に形成した切り欠き付きの軸受部５１ａ，５１ｂで行われている。そして、係止レバー４６は、捩じりバネ４７により回転軸４６ｆを中心として時計方向に沿った巻き止め位置に向けて常に付勢されている。
【００２９】
巻き止め爪４６ｂは、係止レバー４６が巻き止め位置の際に巻き上げノブ１５の歯列１５ａに係合してフイルム巻き上げ操作を禁止する。レリーズ連動片４６ｃは、シャッタボタン１７の押下操作に連動する押圧ロッド２３により押圧され、係止レバー４６を巻き止め位置から巻き止め解除位置に向けて回転させる。
【００３０】
係止部４６ａは、シャッタ駆動レバー４５がチャージ位置に向けて回転される際にシャッタ駆動レバー４５の被係止部４５ａの回動軌跡内に入り込んでシャッタ駆動レバー４５をチャージ位置に保持したまま係止レバー４６を巻き止め位置に向けて回転させる。また、係止部４６ａは、シャッタレリーズ後に係止レバー４６が巻き止め解除位置に回転されることによって被係止部４５ａの回動軌跡から退避してシャッタ駆動レバー４５のチャージ位置での保持を解除する。
【００３１】
歯欠けギヤ４２には、上面に突出して一歯ギヤ４３が同軸で設けられている。この一歯ギヤ４３は、軸５３に回動自在に取り付けられた枚数表示板５０の外周に形成された歯列５０ａと噛合している。したがって、歯欠けギヤ４２が噛合位置から噛合解除位置に回転する間に一歯ギヤ４３が枚数表示板５５を一目盛り分回転させる。枚数表示板５５の上面には、その回転ピッチに対応して枚数表示用の目盛りが設けられている。この目盛りはその時点で撮影可能なフイルム枚数、すなわち残数表示目盛りとなっているから、この目盛りを撮影枚数表示窓１７を通して観察することによって残りのコマ数を確認することができる。
【００３２】
フイルムユニット１０では、フイルム後端部２６ｄ側からフイルム先端部２６ｂに向けて撮影を行っていくため、最後のコマ３８ａの隣に形成された大パーフォレーション３９ａで巻き止めが作動すると、撮影に利用できないフイルム先端部２６ｂに撮影を行ってしまう。このため、ここで巻き止めの作動を阻止して最後のコマ３８ａに撮影を終了した後のフイルム巻き上げ操作によって、写真フイルム２６を全部パトローネ２４の内部に巻き込む必要がある。
【００３３】
そこで、枚数表示板５０の下面に巻き止め阻止手段としてカム５０ｂを形成し、最終コマ３８ａに撮影を終えた後のフイルム巻き上げ操作の過程でカム５０ｂを係止レバー４６の立ち上がり突起４６ｅの回動軌跡内に入り込ませ、係止レバー４６をフイルム収納許容位置に保持させる。この位置は、巻き止め位置と巻き止め解除位置との間で、且つ巻き止め解除位置から僅かに巻き止め位置側に寄ったフイルム収納許容位置であり、係止レバー４６がこのような状態となると、検知爪４６ｇが退避し、また、巻き止め爪４６ｂが歯列１５ａから退避し、さらに、係止部４６ａがシャッタ駆動レバー４５の被係止部４５ａの回動軌跡内に入り込んでシャッタ駆動レバー４５をチャージ位置で保持する。
【００３４】
このような状態とすることで、写真フイルム２６をパトローネ２４の内部に全部収納することができる。このとき、シャッタ駆動レバー４５がチャージ位置に保持されているから規制片４５ｄが突起４２ｃに係合しており、したがって歯欠けギヤ４２が回転しないことから、枚数表示板５０が歩進することがなく、係止レバー４６のフイルム収納許容位置での保持が最後まで継続される。
【００３５】
ところで、前記カム５０ｂは、係止レバー４６が巻き止め解除位置に向けて回転する方向から入り込む。このため、係止レバー４６がフイルム収納許容位置に保持された際に、シャッタボタン１４が押下されると、係止レバー４６が巻き止め解除位置に回転してしまい、シャッタ駆動レバー４５が回転し露光が行われる恐れがある。そこで、前記カム５０ｂの形状をコ字状に形成し、係止レバー４６の立ち上がり突起４６ｅを挟み込んで、係止レバー４６が巻き止め解除位置に回転することを防止するようにしておくのが好適である。
【００３６】
また、１コマ分のフイルム移送が行われる以前にシャッタ駆動レバー４５がチャージ位置にチャージされるため、チャージされた後から１コマ分のフイルム移送が行われるまで引き続き行われるフイルム巻き上げ操作の間に、シャッタボタン１４が押下操作されると、係止レバー４６が巻き止め解除位置に向けて回転し、この回転に伴ってシャッタ駆動レバー４５が回転してしまい、１コマ分のフイルム移送がなされないまま露光が行われてしまう恐れがある。
【００３７】
そこで、シャッタ駆動レバー４５がチャージ位置に移動されてから１コマ分のフイルム移送が行われるまでの間で、係止レバー４６の巻き止め解除位置への回転を禁止するレリーズ規制手段を備えた。この手段は、詳しくは図８に示すように、係止レバー４６に設けた立ち上がり突起４６ｄと、レリーズ規制部材４８とで構成されている。
【００３８】
レリーズ規制部材４８は、平板の一部を切り欠いて形成した弾性自在な片持ち片４８ａと、この片持ち片４８ａの先端に設けられた立ち下がり突起４８ｂとで構成されている。立ち下がり突起４８ｂは、係止レバー４６の立ち上がり突起４６ｄの回動軌跡上に配置されている。立ち上がり突起４６ｄは、係止レバー４６が巻き止め解除位置から巻き止め位置に回転する方向側が内斜面４６ｈと外斜面４６ｉとからなる矢形状とされ、また、係止レバー４６が巻き止め位置から巻き止め解除位置に回転する方向側がＶ字溝４６ｊとされた楔形状で形成されている。
【００３９】
図９に示すように、内斜面４６ｈは、係止レバー４６が巻き止め解除位置から巻き止め位置に向けて回転する際に、立ち下がり突起４８ｂを回転方向の内側に弾性変形させて係止レバー４６の回転を許容する。そして、図１０に示すように、片持ち片４８ａが元の位置に戻った時に立ち下がり突起４８ｂがＶ字溝４６ｊに介入するように、内斜面４６ｈの長さは、外斜面４６ｉよりも短くされている。Ｖ字溝４６ｊは、検知爪４６ｇが大パーフォレーション３９に入り込むまでの間、すなわち、１コマ分のフイルム移送が行われるまでの間で、立ち下がり突起４８ｂに係合して係止レバー４６の巻き止め解除位置へ向けた回転を禁止し、この逆の巻き止め位置へ向けた回転を許容する。
【００４０】
また、係止レバー４６が巻き止め位置から巻き止め解除位置に向けて回転する際には、図１１及び図１２に示すように、外斜面４６ｉが立ち下がり突起４８ｂを押して支持部４８ｃを中心として片持ち片４８ａを時計方向に向けて弾性変形させ、係止レバー４６の回転を許容する。このとき、外斜面４６ｉが内斜面４６ｈよりも長いため、立ち下がり突起４８ｂがＶ字溝４６ｊに入り込むことはない。
【００４１】
検知爪４６ｇは、図１３に示すように、写真フイルム２６に当接する面の両角のうちフイルム巻き上げ方向の上流側がパーフォレーション３９に瞬時に入り込めるように角部４６ｈとなっており、またフイルム巻き上げ方向の下流側がパーフォレーション３９から退避する際に引っ掛からないようにＲ形状に面取りされた丸み部４６ｉとなっている。なお、係止レバー４６は、検知爪４６ｇが、係止レバー４６が巻き止め位置に向けて回転した際にフイルム巻き上げ方向に対してほぼ直行する方向、即ち、角部４６ｈと丸み部４６ｉとがほぼ同時か、あるいは角部４６ｈが先にパーフォレーション３９に入り込む方向に移動するように形成しておくのが望ましい。
【００４２】
上記構成によるフイルムユニット１０の組み立てについて図１を参照しながら説明する。まず、露光ユニット２０を組み立ててからこの露光ユニット２０を本体基部１８の前面に取り付ける。そして、この本体基部１８の前面に露光ユニット２０を挟むようにして前カバー２１を取り付ける。この後、本体基部１８の背後にパトローネ付き写真フイルム２２を収納する前に、露光ユニット２０の作動テストを行う。
【００４３】
撮影レンズ１３から前方に所定距離だけ離した位置にシャッタボタン１４の押下操作に連動して一定光量を発光する光源，例えばストロボ発光部をセットする。そして、露光開口の後方には、ＳＰＤ等の受光素子を備えた光量測定装置を設置する。
【００４４】
図７に示すように、シャッタ駆動レバー４５がレリーズ完了位置にある状態から、巻き上げノブ１５をフイルム巻き上げ方向（反時計方向）に回転させる。シャッタ駆動レバー４５がレリーズ完了位置の状態では、歯欠けギヤ４２が噛合位置の状態となっており、また、被係止部４５ａが係止部４６ａの回動軌跡内に入り込んで、捩じりバネ４７の付勢に抗して係止レバー４６を巻き止め解除位置に保持している。
【００４５】
図１４に示すように、巻き上げノブ１５の回転に連係して連動ギヤ４１も反時計方向に向けて回転する。この連動ギヤ４１の回転によって歯欠けギヤ４２が時計方向に回転する。歯欠けギヤ４２が噛合位置から噛合解除位置まで回転すると、この間にカム部材４４のチャージ用カム面４４ａが押圧部４５ｃを押してシャッタ駆動レバー４５をチャージ位置に回転させる。この回転は捩じりバネ４７の付勢に抗して軸５３を中心として反時計方向である。
【００４６】
シャッタ駆動レバー４５がチャージ位置に向けて回転している間では、被係止部４５ａが係止部４６ａの回動軌跡内に入り込んだままの状態で行われるため、係止レバー４６が巻き止め解除位置に保持されたままの状態となっている。
【００４７】
シャッタ駆動レバー４５がチャージ位置に到達した時点では、規制片４５ｄが歯欠けギヤ４２の突起４２ｃに係合して歯欠けギヤ４２を噛合解除位置に保持している。また、被係止部４５ａが係止部４６ａの回動軌跡内から退避され、係止レバー４６が捩じりバネ４７の付勢により回転軸４６ｆを中心に時計方向、すなわち、巻き止め位置に向けて回転する。このとき、図１５に示すように、検知爪４６ｇが写真フイルム２６（二点鎖線の仮想線で示す）側に移動されるが、写真フイルム２６が装填されていないから、係止レバー４６は巻き止め位置まで回転し、図１６に示すように、巻き止め爪４６ｂが巻き上げノブ１５の歯列１５ａに噛合してフイルム巻き上げ操作の禁止を行う。なお、係止レバー４６が巻き止め位置に到達した時点では、係止部４６ａが被係止部４５ａの回動軌跡内に入り込んだままの状態となっているため、シャッタ駆動レバー４５のチャージ位置への保持が引続き行われている。
【００４８】
この後、シャッタボタン１４を押下操作する。この押下操作によって押圧ロッド２３がレリーズ連動片４６ｃを同図に示す矢印方向に押圧する。これにより係止レバー４６が捩じりバネ４７の付勢に抗して回転軸４６ｆを中心に反時計方向に回転され、係止レバー４６が巻き止め解除位置に向けて回転する。
【００４９】
係止レバー４６が巻き止め解除位置に回転すると、巻き止め爪４６ｂが歯列１５ａから退避されるとともに、係止部４６ａが被係止部４５ａの回転軌跡内から退避する。これにより、シャッタ駆動レバー４５は、捩じりバネ４７の付勢によって軸５３を中心として時計方向に瞬時に回転して図１７に示す状態となる。この回転途中でシャッタ羽根４９を蹴飛ばす。蹴飛ばされたシャッタ羽根４９は、引き戻しバネ６０の作用によってシャッタ開口６１の前面で一往復揺動する。このとき、撮影レンズ１３の前方に設けられた光源から所定光量の光が撮影レンズ１３に向けて照射され、シャッタ開口６１を通って露光開口に到達した光量が露光開口の後方に設置された光量測定装置により測定される。
【００５０】
シャッタ駆動レバー４５がレリーズ完了位置に向けて移動している間では、被係止部４５ａが係止部４６ａの回動軌跡内に入り込んだままの状態で行われ、またレリーズ完了位置に到達した時点でも同じ状態となっているため、係止レバー４６は巻き止め解除位置で保持されている。
【００５１】
また、シャッタ駆動レバー４５がレリーズ完了位置に向けて回転する際には、規制片４５ｄが歯欠けギヤ４２の突起４２ｃから退避して歯欠けギヤ４２の噛合解除位置での保持を解除している。その後、レリーズ完了位置に到達する直前には、押圧部４５ｃがカム面４４ｂに当接する。この当接は軸５２を中心としてカム部材４４を時計方向に向けて回転させるように行われるため、歯欠けギヤ４２が時計方向に回転され、ギヤ部４２ａが連動ギヤ４１に噛合する噛合位置の状態となる。これにより、次回の巻き上げノブ１５の回転操作に歯欠けギヤ４２が連動回転するようになる。
【００５２】
以上の操作を数回繰り返すことにより、光量測定装置により測定された光量値の積算値又は１回あたりの平均光量値を算出して基準値と比較し、シャッタ羽根４９の作動速度が許容範囲内にあるか否かを確認する。このシャッタ羽根４９の作動速度が許容範囲内にある場合には、露光ユニット２０の作動状態が良好であるから、シャッタ駆動レバー４５をレリーズ完了位置にしてから枚数表示板５０を初期位置に戻し、この本体基部１８を暗室内のフイルム装填工程，後カバー装着工程に搬送する。シャッタ羽根４９の作動速度が許容範囲を逸脱している場合には、露光ユニット２０の作動状態が不良であるから、本体基部１８を調査工程に搬送して、前カバー２１の押圧ロッド２３と露光ユニット２０との係合状態の良否を調べてから、露光ユニット２０を本体基部１８から取り外し、露光ユニット２０単独の作動状態を詳しく調べる。
【００５３】
フイルム装填工程では、本体基部１８のパトローネ収納室２５，フイルムロール室２７にパトローネ２４，フイルムロール２６ａがそれぞれ収納される。この後、カバー装着工程において、後カバー１９が本体基部１８の背面側に装着されてから、パトローネ収納室２５，フイルムロール室２７が底蓋３１，３２によってそれぞれ密閉に塞がれ、ユニット本体１２が完成される。
【００５４】
このユニット本体１２は、続いてフイルム給送テスト工程に搬送される。フイルム給送テスト工程では、巻き上げノブ１５が回転操作され、この時の回転トルクが測定される。巻き上げノブ１５の回転操作は、検知爪４６ｇが大パーフォレーション３９に入り込む前に中止される。なお、検知爪４６ｇが大パーフォレーション３９に入り込まなくても、露光ユニット２０はチャージ状態になり得るが、前述したように、立ち下がり突起４８ｂがＶ字溝４６ｊに入り込んでいるから、検知爪４６ｇが大パーフォレーション３９に入り込む前の状態では、係止レバー４６が巻き止め解除位置に向けて回転することがない。これにより、フイルムユニット１０がチャージ状態のまま出荷され、不用意にシャッタレリーズされて撮影領域が無駄に消費されることが防止される。
【００５５】
巻き上げノブ１５の回転操作時のトルクが許容範囲内である場合には、フイルム給送が正常に行われていると判断されるから、このユニット本体１２に外ケース１１を被せることによりフイルムユニット１０が完成される。
【００５６】
次に、本発明を別の露光ユニットを有するフイルムユニットに適用した例を説明する。なお、露光ユニット以外の構成及び使用する写真フイルムは、前記実施例と同様であるから説明を省略するとともに、全く同じ部品に関しては同じ符号を付している。図１８及び図１９において、露光ユニット９０には、シャッタ機構，フイルムカウンタ機構等が設けられている。これらの機構は，スプロケット９１，回転部材９２，シャッタ駆動レバー９３，係止レバー９４，板バネ９５，捩じりバネ９６，シャッタ羽根９７，及び枚数表示板１０５等とから構成されている。
【００５７】
暗箱３３（前記実施例の図３参照）の一部であるベース板９８には、上面に２つの軸１０３，１０４と軸受開口９９とが一体に形成されている。軸１０３には、シャッタ駆動レバー９３と枚数表示板１０５とが順に挿入される。他方、軸１０４には、捩じりバネ９６と係止レバー９４とが順に挿入される。
【００５８】
軸受開口９９には回転部材９２が挿入される。回転部材９２は、下から順に、被押圧部１００，シャッタチャージカム１０１，巻き止めカム１０２，及び二歯ギヤ１０６とが一体に形成されている。被押圧部１００の下方には、開口３３ａ（図３参照）からフイルム面に向けて露呈されるスプロケット９１が連結される。
【００５９】
スプロケット９１には、短い間隔で並んだ一対のパーフォレーション３９，４０に順次に噛合する一対の大小の歯９１ａ，９１ｂが、円周面９１ｃの上で１８０°隔てた位置に二対、突設されており、１コマ分のフイルム移送に従動して半回転する。この円周面９１ｃの長さとしては写真フイルムの１コマ分の長さと同じか、或いはこれよりも短くするのが望ましい。なお、スプロケット９１の従動方向は、同図に示す反時計方向である。
【００６０】
大歯９１ａは、フイルム給送方向の長さが小パーフォレーション４０よりも長く、大パーフォレーション３９よりも僅かに短いサイズで形成され、大パーフォレーション３９にのみ噛合する。また小歯９１ｂは、小パーフォレーション４０に噛合するサイズとなっている。そして、写真フイルム２６の１コマ移送では、一対の歯のうち小歯９１ｂが小パーフォレーション４０から外れ、大歯９１ａが大パーフォレーション３９に確実に係合した状態で完了する。
【００６１】
被押圧部１００には、円周面上の１８０°隔てた位置に２つの山条の突起１００ａがそれぞれ形成されており、円周面上に板バネ９５が付勢している。この板バネ９５は、スプロケット９１の二対の歯のうちいずれかの一対の歯９１ａ，９１ｂが短い間隔のパーフォレーション３９，４０に係合している間で突起１００ａに押されて弾性変形し、スプロケット９１の回転を許容し、また、一対の歯９１ａ，９１ｂが短い間隔のパーフォレーション３９，４０から外れてから後続の一対の歯９１ａ，９１ｂが次の一対のパーフォレーション３９，４０に係合するまでの間では突起１００ａを押してスプロケット９１を従動方向に付勢する。
【００６２】
捩じりバネ９６は、一端９６ａがシャッタ駆動レバー９３のバネ受け部９３ａ（図１９参照）に係合しており、軸１０３を中心としてシャッタ駆動レバー９３を反時計方向（レリーズ完了位置）に向けて付勢している。また捩じりバネ９６の他端９６ｂは、係止レバー９４の立ち下がり片９４ａに係合し、軸１０４を中心として係止レバー９４を時計方向（巻き止め位置）に向けて付勢している。シャッタチャージカム１０１には、１８０°隔てた位置に２つのカム１０１ａがぞれぞれ形成されており、これらのうち何れか一方にシャッタ駆動レバー９３の一端９３ｂが当接している。カム１０１ａは、スプロケット９１が半回転する間でシャッタ駆動レバー９３を時計方向（チャージ位置）に向けて回転させる。
【００６３】
１コマ分のフイルム移送が行われると、回転部材９２が反時計方向に半回転する。この半回転した時点で、巻き止めカム１０２の外周に１８０°隔てて設けられた２つの溝１０２ａのうち一方に係止レバー９４の爪部９４ｂが嵌入し、スプロケット９１の回転をロックする。この状態が係止レバー９４の巻き止め位置となる。また、係止レバー９４が巻き止め位置に回転する途中では、係止レバー９４の下突条部９４ｃがシャッタ駆動レバー９３の立ち上がり片９３ｃの回動軌跡内に入り込み、シャッタ駆動レバー９３をチャージ位置で保持する。さらに、係止レバー９４が巻き止め位置に回転した際には、巻き止め爪９４ｄが巻き上げノブ１５の外周の歯列１５ａに噛み合い、フイルム巻き上げ操作を阻止する。
【００６４】
捩じりバネ９６の付勢に抗してシャッタ駆動レバー９３をチャージ位置に回転させるカム１０１ａとしては、スプロケット９１の一対の歯９１ａ，９１ｂと一対のパーフォレーション３９，４０とが係合していない時に行うようにすると、板バネ９５の付勢力によってもスプロケット９１が従動方向に付勢回転しない恐れがあるため、一対の歯９１ａ，９１ｂが一対のパーフォレーション３９，４０に噛合している間でシャッタ駆動レバー９３をチャージ位置に向けて回転させる形状とするのが望ましい。
【００６５】
シャッタボタン１４の押下操作によって押圧ロッド２３が係止レバー９４の立ち下がり片９４ａを押圧し、係止レバー９４が反時計方向（巻き止め解除位置）に向けて回転される。この回転により係止レバー９４の下突条部９４ｃがシャッタ駆動レバー９３の立ち上がり片９３ｃの回動軌跡内から外れる。これにより、シャッタ駆動レバー９３が捩じりバネ９６の付勢によって軸１０３を中心に反時計方向に回転される。この回転は、蹴飛ばしアーム９３ｄがストッパ１０８に当接した時点で終了する。この状態がシャッタ駆動レバー９３のレリーズ完了位置となる。この回転途中で、蹴飛ばしアーム９３ｄがシャッタ羽根９７を蹴飛ばす。
【００６６】
また、シャッタ駆動レバー９３がレリーズ完了位置に回転すると、立ち上がり片９３ｃが係止レバー９４の下突条部９４ｃの回動軌跡内に入り込んで、係止レバー９４を巻き止め解除位置で保持する。係止レバー９４が巻き止め解除位置の状態となると、巻き止め爪９４ｄが歯列１５ａから退避し、また、爪部９４ｂが溝１０２ａから退避している。これにより、次回のフイルム巻き上げ操作が行える。
【００６７】
ベース板９８の前面には、光軸１３ａと平行に軸１０９が形成されている。この軸１０９には、シャッタ羽根９７が揺動自在に軸着される。シャッタ羽根９７は、引き戻しバネ１１０の付勢により光軸１３ａ上に設けたシャッタ開口６１を遮蔽する位置と、シャッタ駆動レバー９３の蹴飛ばしによりシャッタ開口６１を露呈する位置との間で一往復揺動する。
【００６８】
二歯ギヤ１０６には、枚数表示板１０５の外周に形成されたギヤ１０５ａが噛合している。したがって、スプロケット９１が半回転すると二歯ギヤ１０６のうち一方の歯によって枚数表示板１０５を一目盛り分だけ時計方向に回転させる。枚数表示板１０５の上面には、その回転ピッチに対応して枚数表示用の目盛りが設けられている。この目盛りはその時点で撮影可能なフイルム枚数、すなわち残数表示目盛りとなっているから、この目盛りを表示窓１７（図３参照）を通して観察することによって残りコマ数を確認することができる。
【００６９】
なお、最後のコマ３８ａ（図４参照）に撮影を終了した後のフイルム巻き上げ操作によって、写真フイルム２６を全部パトローネ２４に巻き込む必要がある。このため、枚数表示板１０５の下面にカム１０５ｂを形成し、最終コマ３８ａに撮影を終えた後のフイルム巻き上げ操作の過程でカム１０５ｂを係止レバー９４の立ち上がり突起９４ｅの回動軌跡内に入り込ませる。係止レバー９４がこのような状態となると、溝１０２ａから爪部９４ｂが退避し、また、巻き止め爪９４ｄが歯列１５ａから退避し、さらに、下突条部９４ｃがシャッタ駆動レバー９３の立ち上がり片９３ｃの回動軌跡内に入り込んでシャッタ駆動レバー９３をチャージ位置で保持するフイルム収納許容位置に保持される。
【００７０】
このように構成された露光ユニット９０を備えたフイルムユニットの製造方法を図２０を参照して説明する。まず、露光ユニット９０を本体基部１８の前面に取り付けてから、この本体基部１８の前面に露光ユニット９０を挟むようにして前カバー２１（図３参照）を取り付ける。この後、前記実施例と同様に、撮影レンズ１３の前面から所定距離だけ離した位置にシャッタボタン１４の押下操作に連動して一定光量を発光する光源，例えばストロボ発光部をセットするとともに、露光開口の後方に光量測定装置を設置する。
【００７１】
前記実施例の露光ユニット２０では、巻き上げノブ１５の回転のみで露光ユニット２０をチャージ状態にセットできたが、この実施例の露光ユニット９０では、スプロケット９１が強制的に回転される。
【００７２】
スプロケット９１を反時計方向に回転させる前の撮影終了状態を示す図１９において、被押圧部１００は、突起１００ａの一方が板バネ９５を弾性変形させる直前の状態となっている。また、シャッタ駆動レバー９３は、立ち上がり片９３ｃが係止レバー９４の下突条部９４ｃの回動軌跡内に入り込んで、係止レバー９４を巻き止め解除位置に保持している。
【００７３】
この状態からスプロケット９１を反時計方向に回転させると、図２１に示すように、カム１０１ａが一端９３ｂを押し上げて軸１０３を中心にシャッタ駆動レバー９３をチャージ位置に向けて回転させる。シャッタ駆動レバー９３がチャージ位置に向けて回転している間では、立ち上がり片９３ｃが下突条部９４ｃの回動軌跡内に入り込んだままの状態で行われるため、係止レバー９４は巻き止め解除位置に保持されたままの状態となっている。
【００７４】
スプロケット９１が半回転されると、図２２に示すように、この回転に伴って回転部材９２も半回転し、回転部材９２が半回転した時点では、巻き止めカム１０２の溝１０２ａの一方が係止レバー９４の爪部９４ｂの嵌入位置に到達している。したがって、爪部９４ｂが溝１０２ａに嵌入することによって係止レバー９４が時計方向に回転してスプロケット９１の回転をロックする巻き止め位置の状態となる。
【００７５】
この係止レバー９４の回転途中では、下突条部９４ｃがシャッタ駆動レバー９３の立ち上がり片９３ｃの回動軌跡内に入り込んだまま行われるので、シャッタ駆動レバー９３のチャージ位置での保持は継続されている。さらに、係止レバー９４が巻き止め位置に回転した際には、巻き止め爪９４ｄが巻き上げノブ１５の外周の歯列１５ａに噛み合い、巻き上げノブ１５をロックする。なお、スプロケット９１の半回転によって二歯ギヤ１０６のうち一方の歯が枚数表示板１０５を１目盛り分だけ歩進させている。
【００７６】
この後、シャッタボタン１４を押下操作する。この操作によってシャッタボタン１４の下部に設けられた押圧ロッド２３が立ち下がり片９４ａを同図に示す矢印Ａ方向に向けて押圧する。この押圧により係止レバー９４が捩じりバネ９６の付勢に抗して反時計方向に回転する。係止レバー９４の回転により下突条部９４ｃが立ち上がり片９３ｃの回動軌跡内から退避して、シャッタ駆動レバー９３が捩じりバネ９６の付勢によりレリーズ完了位置まで瞬時に回転し、図１９に示した初期状態となる。
【００７７】
シャッタ駆動レバー９３の回転途中では、蹴飛ばしアーム９３ｄがシャッタ羽根９７を蹴飛ばす。この蹴飛ばしによってシャッタ羽根９７は軸１０９を中心に一往複揺動する。この一往複揺動の間に、撮影レンズ１３の前方に設けられた光源から所定光量の光が撮影レンズ１３に向けて照射され、撮影レンズ１３，シャッタ開口６１を通って露光開口に到達した光の光量が露光開口の後方に設置された光量測定装置により測定される。
【００７８】
以上の操作を数回繰り返し、前記実施例と同様に、光量測定装置により測定された光量値の積算値又は１回あたりの平均光量値を算出して基準値と比較し、露光ユニット９０の作動状態の良否を判定する。露光ユニット９０の作動状態が良好なものは、シャッタ駆動レバー９３がレリーズ完了位置にある状態にしてから枚数表示板１０５を初期位置に戻し、この本体基部１８を暗室内のフイルム装填工程，後カバー装着工程に搬送する。露光ユニット９０の作動状態が不良なものは、この本体基部１８を調査工程に搬送して、前カバー２１の押圧ロッド２３と露光ユニット９０との係合状態の良否を調べてから、露光ユニット９０を本体基部１８から取り外して露光ユニット９０そのものを詳しく調べる。
【００７９】
フイルム装填工程，カバー装着工程に搬送された本体基部１８は、前記実施例と同様に、フイルム装填，後カバー１９の装着が行われてから、フイルム給送テスト工程に搬送される。フイルム給送テスト工程では、巻き上げノブ１５が回転操作され、この時の回転トルクが測定される。巻き上げノブ１５の回転操作は、コマ３８ｂの大パーフォレーション３９が大歯９１ａに入り込む前、すなわち露光ユニット９０がチャージ状態になる前に中止される。これにより、フイルムユニットがチャージ状態のまま出荷され、不用意にシャッタレリーズされて撮影領域が無駄に消費されることが防止される。巻き上げノブ１５の回転トルクが許容範囲内である場合には、フイルム給送が正常に行われていると判断されるから、このユニット本体１２に外ケース１１を被せることによりフイルムユニットが完成される。
【００８０】
次に、更に別のシャッタ機構を備えた実施例に本発明の製造方法を適用した例を説明する。図２３において、フイルムユニットのユニット本体１２１は、本体基部１２２と、前カバー１２３と、後カバー１２４とからなる。本体基部１２２には、その中央部に暗箱部１２２ａ，これを挟んで左右にパトローネ収納室１２２ｂ，フイルムロール室１２２ｃがそれぞれ形成され、パトローネ収納室１２２ｂ，フイルムロール室１２２ｃには、前記実施例と同様のパトローネ２４，フイルムロール２６ａが収納される。なお、ユニット本体１２１の外装体として、撮影操作に必要な所要部分に開口を設けた紙箱等の外ケースが用いられるが、その図示は省略した。
【００８１】
暗箱部１２２ａの上部には、シャッタ機構１３０が取り付けられ、前部には、シャッタ羽根１３２，復帰バネ１３３が取り付けられ、その前面を覆うようにシャッタカバー１３４が取り付けられる。シャッタカバー１３４にはレンズマウント部が形成され、そこに撮影レンズ１３が嵌め込まれる。また、シャッタ機構１３０の上には、これを光密に被う遮光カバー１３５が取り付けられる。
【００８２】
各部品が取り付けられた本体基部１２２の前面には、前カバー１２３がフック止めされる。前カバー１２の前部には撮影窓１２３ａ，ファインダ対物窓１２３ｂが形成され、また上部にはシャッタボタン１３８が一体に形成されている。シャッタボタン１３８を押し込むと、その下部に一体に設けた先端部が楔状のレリーズアーム１３８ａがシャッタ機構１３０のシャッタ駆動部材１３９に形成された突起１４０に作用し、シャッタ駆動部材１３９の蹴飛ばし部１４１によってシャッタ羽根１３２の端部１３２ａが蹴飛ばされてシャッタ羽根１３２が開き、そして復帰バネ１３３の付勢により閉じ位置に戻って１回の露光が行われる。
【００８３】
シャッタ機構１３０の露光終了直後で、シャッタチャージを開始する前の初期状態を示す図２４において、本体基部１２２の上部はシャッタ機構１３０のシャッタ基盤１４３になっている。このシャッタ基盤１４３には、溝１４３ａが形成されており、この内側には、前記シャッタ駆動部材１３９と、これをレリーズ完了位置からチャージ位置まで移動させるチャージ部材１４５とがほぼ平行して摺動自在に収納されている。また、溝１４３ａの底面には、シャッタ駆動部材１３９，チャージ部材１４５のシャッタ基盤１４３側の面に立設されている各支点突起１４６，１４７を回動自在にかつフイルム給送方向に移動自在に受入れる長溝１４８，１４９が形成されている。
【００８４】
シャッタ駆動部材１３９には、前記突起１４０と蹴飛ばし部１４１の他に、チャージ用係合爪部１３９ａと巻止め爪部１５１とが一体成形されている。このチャージ用係合爪部１３９ａは、チャージ部材１４５側の縁部に形成され、チャージ部材１４５のシャッタ駆動部材１３９側の縁部に形成されたシャッタ駆動部材移動用のチャージ用係合爪部１４５ａとシャッタチャージ時に係合される。また、巻止め爪部１５１は支柱部１５２により巻上げダイヤル１５と同じ高さに設けられ、チャージ位置で巻上げダイヤル１５のローレット１５ａに係合して巻上げダイヤル１５の巻上げ操作を阻止する。また、シャッタ駆動部材１３９とシャッタ基盤１４３との間には、突起１３９ｂ，１４３ｂを介してコイルバネ１５３が掛け渡され、シャッタ駆動部材１３９は支点突起１４６を中心に時計方向に付勢されている。
【００８５】
チャージ部材１４５には、前記チャージ用係合爪部１４５ａの他に、写真フイルム２６の大小のパーフォレーション３９，４０に係合される大小の爪部１５４，１５５が形成されている。これにより、写真フイルム２６の給送時には、パーフォレーション４０は爪部１５４に係合することなくこれを通過した後、爪部１５５と係合し、これと同時にパーフォレーション３９が爪部１５４に係合される。なお、爪部１５４，１５５の各先端部の外縁は、互いに内側に向かってテーパ状に形成されている。
【００８６】
チャージ部材１４５のシャッタ基盤１４３側の面には、前記支点突起１４７の他に、ロック用突起１５７が立ち下げ形成されており、溝１４３ａの底面にはロック用突起１５７を受け入れてチャージ部材１４５をチャージ位置でロックする三角カム１５９付きのカム溝１６０が形成されている。そして、このチャージ部材１４５とシャッタ基盤１４３との間には、突起１４５ｂ，１４３ｃを介してコイルバネ１６１が掛け渡され、チャージ部材１４５は支点突起１４７を中心に反時計方向に付勢されている。このコイルバネ１６１の付勢力は、前記コイルバネ１５３の付勢力より小さく設定されており、シャッタ駆動部材１３９及びチャージ部材１４５は全体として時計方向に付勢されている。
【００８７】
チャージ部材１４５の上部には、シャッタ駆動部材１３９の突起１４０と隣接して突起１６５が立設されている。シャッタレリーズ時にレリーズアーム１３８ａの楔状の先端部１３８ｂが突起１４０，１６５の隙間に挿入されることにより、チャージ部材１４５はフイルム側に押さえつけられまま、シャッタ駆動部材１３９が支点突起１４６を中心に反時計方向に回動されるから、チャージ用係合爪部１３９ａ，１４５ａの係合が解除される。なお、溝１４３ａを構成している壁の一部には、シャッタ駆動部材１３９のレリーズ完了位置を規制する凸条部１４３ｄが形成されている。
【００８８】
このように構成されたフイルムユニットの組み立てを行うには、まず、暗箱部１２２ａの上部にシャッタ機構１３０を取り付けるとともに、暗箱部１２２ａの前部にシャッタ羽根１３２，復帰バネ１３３，シャッタカバー１３４を取り付ける。更に、シャッタカバー１３４のレンズマウント部に撮影レンズ１３を嵌め込んでから、シャッタ機構１３０の上に遮光カバー１３５を取り付けた後、本体基部１２２の前面に前カバー１２３を取り付ける。これにより、レリーズアーム１３８ａの楔状の先端部１３８ｂが突起１４０，１６５の隙間に相対した位置にセットされる。
【００８９】
本体基部１２２にフイルム装填する前に、シャッタ機構１３０の作動テストを行う。前記実施例と同様に、撮影レンズ１３の前方にはシャッタボタン１３８のレリーズ操作に連動して発光される光源、暗箱部１２２ａの背面側に形成されたアパーチャの後方には光量測定装置をそれぞれ配置する。なお、以下の説明で参照する図２５及び図２６では、図面の煩雑を避けるため、前カバー１２３，復帰バネ１３３，シャッタカバー１３４，遮光カバー１３５等を省略してある。
【００９０】
図２５（Ａ）に示した初期状態では、シャッタ駆動部材１３９及びチャージ部材１４５はコイルバネ１５３，１６１により互いに密着する方向に付勢されており、チャージ用係合爪部１３９ａ，１４５ａを介して互いに係合されて一体的になっている。そして、コイルバネ１５３の付勢力の方がコイルバネ１６１の付勢力より大きいため、シャッタ駆動部材１３９及びチャージ部材１４５は全体として時計方向かつフイルムロール室１２２ｃ側に付勢されている。これにより、支点突起１４６，１４７が長溝１４８，１４９のフイルムロール室１２２ｃ側の端にそれぞれ当接され、かつチャージ部材１４５が凸条部１４３ｄに当接されている。
【００９１】
この初期状態から、爪部１５４，１５５をパトローネ収納室１２２ｂ側に移動させると、シャッタ駆動部材１３９及びチャージ部材１４５が一体的に巻上げダイヤル１５側へ向かって移動を開始する。チャージ部材１４５の縁が凸条部１４３ｄを離れると、シャッタ駆動部材１３９及びチャージ部材１４５は支点突起１４６，１４７を中心に時計方向へ回動されるが、ロック用突起１５７が三角カム１５９の平面１５９ａに当接するから、シャッタ駆動部材１３９及びチャージ部材１４５は三角カム１５９の面形状に沿いながら巻上げダイヤル１５側に移動されるようになる。
【００９２】
（Ｂ）に示すように、ロック用突起１５７が三角カム１５９のテーパ面１５９ｂに当接されるようになると、シャッタ駆動部材１３９，チャージ部材１４５は支点突起１４６，１４７を中心に反時計方向に回動される。なお、テーパ面１５９ｂの角度は後カバー１２４のフイルム支持面１２４ａ（図２３参照）の湾曲面の曲率にほぼ対応している。
【００９３】
（Ｃ）に示すように、更に爪部１５４，１５５の移動が進み、シャッタ駆動部材１３９がチャージ位置に到達すると、ロック用突起１５７が三角カム１５９のテーパ面１５９ｂの頂点から外れ、コイルバネ１５３，１６１の合成付勢力により支点突起１４６，１４７を中心にシャッタ駆動部材１３９，チャージ部材１４５は時計方向に回動され、ロック用突起１５７が三角カム１５９の垂直面１５９ｃに当接してチャージ部材１４５はロックされる。これと同時に、巻止め爪部１５１が巻上げダイヤル１５のローレット１５ａに係合され、巻上げダイヤル１５の巻上げ操作を阻止する。そして、このチャージ状態では、図面上で蹴飛ばし部１４１がシャッタ羽根１３２の端部１３２ａの右側に位置される。
【００９４】
この後、シャッタボタン１３８を押圧すると、図２６（Ａ）に示すように、レリーズアーム１３８ａの楔状の先端部１３８ｂが突起１４０，１６５の隙間に挿入される。これにより、チャージ部材１４５はフイルム側に押さえつけられまま、シャッタ駆動部材１３９が支点突起１４６を中心に反時計方向に回動されるから、巻止め爪部１５１とローレット１５ａとの係合が解除されるとともに、チャージ用係合爪部１３９ａ，１４５ａの係合が解除される。
【００９５】
シャッタ駆動部材１３９はチャージ部材１４５から分離してコイルバネ１５３の付勢力によりレリーズ完了位置に向かって高速走行を開始する。次の瞬間、蹴飛ばし部１４１はシャッタ羽根１３２の端部１３２ａを蹴飛ばし、シャッタ羽根１３２の背後に形成されたシャッタ開口６１が開閉される。シャッタボタン１３８のレリーズ操作に連動して発光された光源からの光は、撮影レンズ１３，シャッタ開口６１，アパーチャを通ってアパーチャの後方に配置された光量測光装置に到達される。この後、シャッタ駆動部材１３９は（Ｂ）に示すレリーズ完了位置に復帰される。
【００９６】
この露光終了直後では、チャージ部材１４５はチャージ位置に停止したままである。そこで、（Ｃ）に示すように、爪部１５４，１５５を矢印方向に押し、チャージ部材１４５を反時計方向に回動させる。これにより、ロック用突起１５７が三角カム１５９の垂直面１５９ｃから外れ、チャージ部材１４５はコイルバネ１６１の付勢力により図２５（Ａ）に示す初期位置に復帰される。なお、図示してないが、このチャージ部材１４５の回動途中で、チャージ部材１４５の上部に形成された爪部がチャージ部材１４５の上方に配置された撮影可能枚数を表示する枚数表示板を一目盛り分だけ歩進させる。
【００９７】
以上の操作を数回繰り返すことにより、光量測定装置により測定された光量値の積算値又は１回あたりの平均光量値を算出して基準値と比較し、シャッタ羽根１３２の作動速度が許容範囲内にあるか否かを確認する。このシャッタ羽根１３２の作動速度が許容範囲内にある場合には、シャッタ機構１３０の作動状態が良好であるから、シャッタ駆動部材１３９及びチャージ部材１４５をレリーズ完了位置にしてから枚数表示板を初期位置に戻し、この本体基部１２２を暗室内のフイルム装填工程，後カバー装着工程に搬送する。シャッタ羽根１３２の作動速度が許容範囲を逸脱している場合には、シャッタ機構１３０の作動状態が不良であるから、本体基部１２２を調査工程に搬送して、前カバー１２３等を取り外してシャッタ機構１３０の作動状態を更に詳しく調べる。
【００９８】
フイルム装填工程では、本体基部１２２のパトローネ収納室１２２ｂ，フイルムロール室１２２ｃにパトローネ２４，フイルムロール２６ａがそれぞれ収納される。この後、カバー装着工程において、後カバー１２４が本体基部１２２の背面側に装着されてから、パトローネ収納室１２２ｂ，フイルムロール室１２２ｃが底蓋１２４ｂ，１２４ｃ（図２３参照）によってそれぞれ密閉に塞がれ、ユニット本体１２１が完成される。
【００９９】
このユニット本体１２１は、続いてフイルム給送テスト工程に搬送される。フイルム給送テスト工程では、巻き上げノブ１５が回転操作され、この時の回転トルクが測定される。巻き上げノブ１５の回転操作は、小パーフォレーション４０が爪部１５５に入り込む前に中止される。これにより、シャッタ機構１３０がチャージ状態のまま出荷され、不用意にシャッタレリーズされて撮影領域が無駄に消費されることが防止される。巻き上げノブ１５の回転トルクが許容範囲内である場合には、フイルム給送が正常に行われていると判断されるから、このユニット本体１２１に外ケースを被せることによりフイルムユニットが完成される。
【０１００】
以上説明した実施例では、巻き上げノブの回転，シャッタボタンの押下，スプロケットの回転，チャージ部材の移動，の各操作は、検査員の手によって行ってもよいが、例えばロボットハンドにより自動化することができる。また、最初に説明した実施例では、写真フイルムを装填していなくても巻き上げノブの操作により露光ユニットが直接的にチャージ状態になるから、写真フイルムの装填前にシャッタ機構の作動テストを行うために好適である。
【０１０１】
【発明の効果】
以上、詳細に説明したように、本発明の製造方法によれば、シャッタ機構の作動テストを行った後に写真フイルムの装填を行い、この後に写真フイルムの給送テストを行うようにしたので、撮影領域のみにコマ位置決め用のパーフォレーションが設けられた写真フイルムを使用するフイルムユニットで写真フイルムの撮影領域を無駄にすることなくシャッタ装置の作動テストを行うことができる。また、給送テストは、シャッタ機構がチャージ状態になる前に中止されることにより、不用意なシャッタレリーズが防止できるから、１コマ分の写真フイルムの撮影領域が無駄になることが防止できる。
【図面の簡単な説明】
【図１】本発明の製造方法の要部を示すフローチャートである。
【図２】フイルムユニットの外観を示す斜視図である。
【図３】ユニット本体を示す分解斜視図である。
【図４】乳剤面側から見たパトローネ付き写真フイルムの全体の平面図である。
【図５】サイズの異なる大小２個のパーフォレーションをコマ毎に設けた写真フイルムの要部を乳剤面側から見た平面図である。
【図６】シャッタ機構等の概略を示す分解斜視図である。
【図７】シャッタレリーズ後の状態を示す説明図である。
【図８】レリーズ規制手段の初期状態を示す説明図である。
【図９】係止レバーが巻き止め位置に回転する際のレリーズ規制手段の状態を示す説明図である。
【図１０】検知爪が写真フイルムに当接した際のレリーズ規制手段の状態を示す説明図である。
【図１１】検知爪がパーフォレーションに入り込んだレリーズ規制手段の状態を示す説明図である。
【図１２】シャッタレリーズによって係止レバーが回転する際のレリーズ規制手段の状態を示す説明図である。
【図１３】検知爪を示す平面図である。
【図１４】フイルム巻き上げ中の状態を示す説明図である。
【図１５】シャッタチャージ完了後の状態を示す説明図である。
【図１６】検知爪がパーフォレーションに入り込んだ状態を示す説明図である。
【図１７】シャッタレリーズ後の状態を示す説明図である。
【図１８】別の実施例におけるフイルム巻き上げ機構の概略を示す分解斜視図である。
【図１９】シャッタレリーズ完了後の状態を示すフイルム巻き上げ機構の説明図である。
【図２０】図１８，図１９に示す実施例における製造方法の要部を示すフローチャートである。
【図２１】シャッタチャージを行っている途中の状態を示すフイルム巻き上げ機構の説明図である。
【図２２】シャッタチャージ完了後の状態を示すフイルム巻き上げ機構の説明図である。
【図２３】本発明を適用した別の実施例であるフイルムユニットのユニット本体の構成を示す分解斜視図である。
【図２４】図２３に示す実施例のシャッタ機構の構成を概略的に示す説明図である。
【図２５】シャッタ機構の初期状態からチャージ状態に到るまでの動作を示す説明図である。
【図２６】シャッタ機構のチャージ状態からシャッタレリーズし、次の撮影準備のために巻上げ操作を行うまでの動作を示す説明図である。
【符号の説明】
１０  レンズ付きフイルムユニット
１２，１２１  ユニット本体
１４，１３８  シャッタボタン
１５  巻き上げノブ
１８，１２２  本体基部
１９，１２４  後カバー
２０，９０  露光ユニット
２１，１２３  前カバー
２２  パトローネ付き写真フイルム
２６  写真フイルム
３９  大パーフォレーション
４０  小パーフォレーション
４１  連動ギヤ
４２  歯欠けギヤ
４３  一歯ギヤ
４４  カム部材
４５，９３  シャッタ駆動レバー
４５ａ  被係止部
４６，９４  係止レバー
４６ａ  係止部
４６ｄ  巻き止め爪
４６ｇ  検知爪
４８  レリーズ規制部材
４９，９７  シャッタ羽根
６１  シャッタ開口
９１  スプロケット
９１ａ  大歯
９１ｂ  小歯
９５  板バネ
１３０  シャッタ機構
１３９  シャッタ駆動部材
１３９ａ，１４５ａ  チャージ用係合爪部
１４０，１６５  突起
１４５  チャージ部材
１５４，１５５  爪部
１５７  ロック用突起
１５９  三角カム
【図１】
0003695722.tif 000002
【図２】
0003695722.tif 000003
【図３】
0003695722.tif 000004
【図４】
0003695722.tif 000005
【図５】
0003695722.tif 000006
【図６】
0003695722.tif 000007
【図７】
0003695722.tif 000008
【図８】
0003695722.tif 000009
【図９】
0003695722.tif 000010
【図１０】
0003695722.tif 000011
【図１１】
0003695722.tif 000012
【図１２】
0003695722.tif 000013
【図１３】
0003695722.tif 000014
【図１４】
0003695722.tif 000015
【図１５】
0003695722.tif 000016
【図１６】
0003695722.tif 000017
【図１７】
0003695722.tif 000018
【図１８】
0003695722.tif 000019
【図１９】
0003695722.tif 000020
【図２０】
0003695722.tif 000021
【図２１】
0003695722.tif 000022
【図２２】
0003695722.tif 000023
【図２３】
0003695722.tif 000024
【図２４】
0003695722.tif 000025
【図２５】
0003695722.tif 000026
【図２６】
0003695722.tif 000027